(57)【特許請求の範囲】
【請求項１】
昇降路内を昇降するかご枠と、
このかご枠内を上下に昇降可能に前記かご枠内に配置された上かごと、
前記かご枠内を上下に昇降可能に前記かご枠内の前記上かごの下方に配置された下かごと、
前記上かごと前記下かごを互いに上下反対に前記かご枠内で駆動するかご位置調整駆動装置と、
前記昇降路に立設され、前記かご枠の昇降を案内するガイドレールと、
を有し、着床する階床間の上下方向間隔に合わせて上下のかご間の上下方向間隔を変化可能なダブルデッキエレベータの点検装置であって、
前記ガイドレールの前記乗りかご所定の高さ位置に固定される梁部材と、
この梁部材に支持され、前記かご枠に設置されるかご機器を点検する足場として使用する足場板と、
を備え、
前記足場板には、手摺り部材と、不使用時には、折り畳まれて前記かご枠とは干渉しない位置に収納され、点検時には、引き出されて前記かご枠の上梁との間に架け渡される可動式の渡り板と、が設けられ、
前記昇降路内を移動する前記かご枠を前記足場板が前記上梁と対向する位置で停止させ、前記渡り板を当該位置で引き出し、前記足場板と上梁との間に架け渡すこと
を特徴とするダブルデッキエレベータの点検装置。
【請求項２】
前記梁部材、及び前記足場板は、前記ガイドレールの反かご枠側に配置されることを特徴とする請求項１記載のダブルデッキエレベータの点検装置。
【請求項３】
前記渡り板に、可動式の手摺り部材を設けたことを特徴とする請求項１記載のダブルデッキエレベータの点検装置。
【請求項４】
前記梁部材は、レールクリップを介して前記ガイドレールに固定されることを特徴とする請求項１記載のダブルデッキエレベータの点検装置。
【請求項５】
複数のダブルデッキエレベータが併設されたものにあって、隣接するダブルデッキエレベータの昇降路側に、当該ダブルデッキエレベータ用の前記梁部材及び前記足場板が位置することを特徴とする請求項１記載のダブルデッキエレベータの点検装置。
【発明の詳細な説明】
【技術分野】
【０００１】
本発明は、ダブルデッキエレベータの点検装置に関する。
【背景技術】
【０００２】
エレベータ昇降路底部のピット、または乗かご上から手の届かない位置にある機器を点検する場合に、作業員の足場を確保するエレベータの点検装置の背景技術として、特開２０１１−３７６０４号公報（特許文献１）がある。この公報には、不使用時には、昇降路壁面に沿うように折り畳まれて昇降路内を昇降する昇降体とは干渉しない位置に収納され、昇降路内機器の点検時には、引き出されて点検に際しての足場となる足場板を有するエレベータ昇降路内機器の点検台装置において、エレベータ昇降路内機器の点検に際して足場板を拡張可能に形成するとともに、拡張前の足場板部分から立設される支柱と、これらの支柱内に格納され、足場板の拡張時には上方へ引き上げられた後、足場板の拡張方向へ傾倒させることで、その下端部の球状部等が支柱の上端部に支持され、足場板の拡張方向へ延設可能な左右一対の手摺り部材を設けたと記載されている。
【０００３】
また、本技術分野の他の背景技術として、特開２００３−０２０１７５号公報（特許文献２）がある。この公報には、設置プラットフォームを備え、リフトシャフト内でシャフト装置を設置するための設置フレームであって、設置プラットフォームが可変領域を有していることを特徴とする。又は、前記設置プラットフォームの前記領域は、更なる立ち面によって広げることが可能な立ち面として構成されていることを特徴とすると記載されている。
【先行技術文献】
【特許文献】
【０００４】
【特許文献１】特開２０１１−３７６０４号公報
【特許文献１】特開２００３−２０１７５号公報
【発明の概要】
【発明が解決しようとする課題】
【０００５】
ところで、近年、着床する階床間の上下方向間隔に合わせて上下のかご間の上下方向間隔を変化させることのできるダブルデッキエレベータが提案されており、この種のエレベータにあっては、かご枠内に、このかご枠内を上下に昇降可能に配置された上かご及び下かごが設置されると共に、上かご及び下かごを駆動するためのかご位置調整駆動装置が設けられており、かご枠は比較的大きな高さ寸法を有すると共に、かご枠には保守点検を要するかご機器が多数設置されている。しかしながら、前述した特許文献に記載のものは、一般的なエレベータの昇降路内機器の点検時に用いられる点検装置、及びエレベータ据付け時に用いられる作業台であり、ダブルデッキエレベータのかご機器の保守点検に適したものではなかった。特に、このようなダブルデッキエレベータの保守点検は、垂直方向における作業範囲が広いことから、足場板を固定する梁部材の固定方法に工夫が必要であった。
【０００６】
本発明は、前述した従来技術における実状からなされたもので、その目的は、ダブルデッキエレベータのかご機器の点検を、安全かつ効率良く行うことのできるダブルデッキエレベータの点検装置を提供することにある。
【課題を解決するための手段】
【０００７】
前記目的を達成するために、本発明は、昇降路内を昇降するかご枠と、このかご枠内を上下に昇降可能に前記かご枠内に配置された上かごと、前記かご枠内を上下に昇降可能に前記かご枠内の前記上かごの下方に配置された下かごと、前記上かごと前記下かごを互いに上下反対に前記かご枠内で駆動するかご位置調整駆動装置と、前記昇降路に立設され、前記かご枠の昇降を案内するガイドレールと、を有し、着床する階床間の上下方向間隔に合わせて上下のかご間の上下方向間隔を変化可能なダブルデッキエレベータの点検装置であって、前記ガイドレールの前記乗りかご所定の高さ位置に固定される梁部材と、この梁部材に支持され、前記かご枠に設置されるかご機器を点検する足場として使用する足場板と、を備え、前記足場板には、手摺り部材と、不使用時には、折り畳まれて前記かご枠とは干渉しない位置に収納され、点検時には、引き出されて前記かご枠の上梁との間に架け渡される可動式の渡り板と、が設けられ、前記昇降路内を移動する前記かご枠を前記足場板が前記上梁と対向する位置で停止させ、前記渡り板を当該位置で引き出し、前記足場板と上梁との間に架け渡すことを特徴としている。
【０００８】
このように構成される本発明では、ガイドレールの所定の高さ位置に梁部材を固定し、この梁部材に支持され、かご枠の上梁と対向可能となる足場板をかご枠に設置されるかご機器を点検する足場とする。また、このとき、足場板に設けられる手摺り部材により作業員の安全を確保する。このように、ダブルデッキエレベータのかご機器の点検を、昇降路に設けた専用の点検台を用いて行うことにより、作業を安全かつ効率良く行うことができる。特に、梁部材は昇降路に立設されるガイドレールに固定されるものであるから、点検装置を所望する高さ位置に設置することが容易であり、垂直方向における作業範囲が広いダブルデッキエレベータの点検作業にも適切に対応することができる。
【００１０】
さらに、本発明は、前記梁部材、及び前記足場板は、前記ガイドレールの反かご枠側に配置されることを特徴としている。
【００１１】
さらにまた、本発明は、前記渡り板に、可動式の手摺り部材を設けたことを特徴としている。
【００１２】
また、本発明は、前記梁部材は、レールクリップを介して前記ガイドレールに固定されることを特徴としている。
【００１３】
さらに、本発明は、複数のダブルデッキエレベータが併設されたものにあって、隣接するダブルデッキエレベータの昇降路側に、当該ダブルデッキエレベータ用の前記梁部材及び前記足場板が位置することを特徴としている。
【発明の効果】
【００１４】
本発明によれば、ダブルデッキエレベータのかご機器の点検を、昇降路に設けた専用の点検台を用いて行うことにより、作業を安全かつ効率良く行うことができる。特に、梁部材は昇降路に立設されるガイドレールに固定されるものであるから、点検装置を所望する高さ位置に設置することが容易であり、垂直方向における作業範囲が広いダブルデッキエレベータの点検作業にも適切に対応することができる。また、梁部材が固定されるガイドレールは、ダブルデッキエレベータに予め備えられるものであると共に、点検装置を支持する強度を有するものであり、これによって、特別な支柱部材を追設することなく点検装置を設けることができ、したがって、コストの低減を図ることができる。
【図面の簡単な説明】
【００１５】
【図１】ダブルデッキエレベータの全体概略構成図である。
【図２】本発明に係るダブルデッキエレベータの点検装置の第１の実施例を示す側面図である。
【図３】第１の実施例における点検装置の要部側面図である。
【図４】第１の実施例における渡り板収納時の要部側面図である。
【図５】第１の実施例における点検装置の正面図である。
【図６】第１の実施例における点検装置の上面図である。
【図７】本発明に係るダブルデッキエレベータの点検装置の第２の実施例を示す概略上面図である。
【図８】第２の実施例における概略側面図である。
【発明を実施するための形態】
【００１６】
以下、本発明に係るダブルデッキエレベータの点検装置の実施例を図に基づき説明する。
【実施例１】
【００１７】
ダブルデッキエレベータは、図１に示すように、昇降路１内を昇降するかご枠２と、一端がかご枠２に連結されてかご枠２を吊持する主索３と、主索３の他端に連結されて吊持され、昇降路１内をかご枠２とは互いに上下反対に昇降するつり合いおもり４と、昇降路１上部の機械室５に設置されるとともに、主索３の中間部が巻き掛けられた主索３を駆動する駆動装置６と、機械室５にあって駆動装置６の近傍に配置され、主索３が巻き掛けられたそらせ車７と、機械室５に配置され、ダブルデッキエレベータの運転を制御する制御装置８と、かご枠２の昇降を案内するガイドレールＧとを有しており、かご枠２内にはかご枠２内を上下に昇降可能に配置された上かご９と、かご枠２内を上下に昇降可能に、かご枠２内の上かご９の下方に配置された下かご１０とが配置されている。
【００１８】
かご枠２は、図２に示すように、上梁２ａ、一対の縦枠２ｂ、２ｃ、下梁２ｅ、中間梁２ｄから形成されており、上梁２ａの上部には防振ゴムを介してかご位置調整駆動装置１１が載置され、かご位置調整駆動装置１１にはかご位置調整駆動シーブ１１ａが備えられている。そして、索状体であるかご位置調整ロープ１２は、一端が上梁２ａに弾性体１３を介して固定され、上かご９の下部に取り付けられる２つの上かごプーリ９ａ、９ｂに巻き掛けられて上かご９を吊持し、かご位置調整駆動装置１１のかご位置調整駆動シーブ１１ａに巻き掛けられる。その後かご位置調整ロープ１２は、下かご１０の下部に取り付けられる２つの下かごプーリ１０ａ、１０ｂに巻き掛けられて下かご１０を吊持し、他端が中間梁２ｄに弾性体１４を介して固定される。
【００１９】
このように構成されたダブルデッキエレベータは、制御装置８によりかご位置調整駆動装置１１を駆動させて、かご位置調整駆動シーブ１１ａを回転させるものであり、このかご位置調整駆動シーブ１１ａの回転によりかご枠２内で上かご９と下かご１０を互いに上下反対に駆動する。そして、図１に示すように、かご枠２が上方階にある場合は、乗り場階の間隔がＨ１のため、それに合わせて上かご９と下かご１０との間隔を寸法Ｈ１に調整すると共に、下方階の場合は乗り場階の間隔がＨ２に変わるためそれに合わせて上かご９と下かご１０との間隔をＨ２に変更することが可能となっている。
【００２０】
そして、第１の実施例の点検装置１５は、図２に示すように、ガイドレールＧの所定の高さ位置に固定される梁部材１５ａと、この梁部材１５ａに支持され、かご枠２の上梁２ａと対向可能となる足場板１５ｂと、この足場板１５ｂに設けられる手摺り部材１５ｃとを備えている。また、点検装置１５は、かご枠２を挟むように２台設けられ、対となるガイドレールＧのそれぞれに配置されていると共に、それぞれの点検装置１５の梁部材１５ａ及び足場板１５ｂは、ガイドレールＧの反かご枠側に配置されている。
【００２１】
足場板１５ｂには、図３及び図４に示すように、不使用時には、折り畳まれてかご枠２とは干渉しない位置に収納され、点検時には、引き出されて上梁２ａとの間に架け渡される可動式の渡り板１５ｄが設けられている。また、渡り板１５ｄには、不使用時には折り畳まれると共に、渡り板１５ｄの使用時に連動して引き出される可動式の手摺り部材１５ｅが設けられている。さらに、渡り板１５ｄは、図６に示すように、ガイドレールＧを挟むようにして２つ設けられている。
【００２２】
梁部材１５ａは、図５に示すように、複数のレールクリップ１５ｆを有し、ガイドレールＧに固定される支柱１５ｇと、この支柱１５ｇから延設され、足場板１５ｂを支持する梁１５ｈとを備えている。
【００２３】
手摺り部材１５ｃは、図５に示すように、かご枠２と対向する面に、可動部１５ｃ１を備えており、渡り板１５ｄ使用時に跳ね上げられて作業員の通行を可能とすると共に、渡り板１５ｄ不使用時に引き倒されて作業員の安全を確保するようになっている。
【００２４】
第１の実施例にあって、かご枠２に設置されるかご機器を点検する場合、かご枠２上に、例えば２人の作業員が乗り込み、かご枠２を保守モードで移動させ、下方に位置する点検装置１５の足場板１５ｂとかご枠２の上梁２ａとを対向位置とする。この状態で、図３及び図６に示すように、可動式の渡り板１５ｄを引き出し、足場板１５ｂと上梁２ａとの間に架け渡し、少なくとも１人の作業員は下方に位置する点検装置１５に乗り移る。このとき、図５に示すように、手摺り部材１５ｃの可動部１５ｃ１が跳ね上げられ、渡り板１５ｄの通行が可能となると共に、渡り板１５ｄの使用に連動し、図３に示すように、手摺り部材１５ｅが引き出され、作業員が渡り板１５ｄを通行する際の安全が確保される。この下方に位置する点検装置１５から作業員は、例えば上かご９及び下かご１０を駆動するために掛け回されるかご位置調整ロープ１２の点検を行う。作業員がかご枠２上に戻った後、さらにかご枠２を上昇させ、上方に位置する点検装置１５の足場板１５ｂとかご枠２の上梁２ａとを対向位置とする。この状態で可動式の渡り板１５ｄを引き出し、足場板１５ｂと上梁２ａとの間に架け渡し、１人の作業員は上方に位置する点検装置１５に移動する。この状態から他の作業員によりさらにかご枠２を上昇させ、上方に位置する点検装置１５とかご枠２の上方に設置されるかご位置調整駆動装置１１とを対向させ、上方に位置する点検装置１５から作業員はかご位置調整駆動装置１１の点検を行う。このようにかご枠２を移動させつつ、点検装置１５を使用しながら、順次、かご枠２に設置されるかご機器の点検が行われる。
【００２５】
第１の実施例によれば、ダブルデッキエレベータのかご機器の点検を、昇降路１に設けた専用の点検台１５を用いて行うことにより、作業を安全かつ効率良く行うことができる。特に、梁部材１５ａは昇降路１に立設されるガイドレールＧに固定されるものであるから、点検装置１５を所望する高さ位置に設置することが容易であり、垂直方向における作業範囲が広いダブルデッキエレベータの点検作業にも適切に対応することができる。
【００２６】
また、梁部材１５ａが固定されるガイドレールＧは、ダブルデッキエレベータに予め備えられるものであると共に、点検装置１５を支持する強度を有するものであり、これによって、特別な支柱部材を追加することなく点検装置を設けることができ、したがって、コストの低減を図ることができる。さらに、足場板１５ｂに、不使用時には、折り畳まれてかご枠２とは干渉しない位置に収納され、点検時には、引き出されて上梁２ａとの間に架け渡される可動式の渡り板１５ｄが設けられることから、点検装置１５とかご枠２との行き来を容易に行うことができる。
【００２７】
さらにまた、梁部材１５ａ、及び足場板１５ｂは、ガイドレールＧの反かご枠側に配置されることから、かご枠２の昇降を妨げることなく点検装置１５を配置することができる。また、渡り板１５ｄに可動式の手摺り部材１５ｅが設けられており、これによって作業員は安全に点検装置１５とかご枠２との行き来を行うことができる。さらに、梁部材１５ａはガイドレールＧにレールクリップ１５ｆを介して取り付けられるものであることから、脱着自在であり、したがって、必要に応じた点検装置１５の取り付け、又は取り外し、又はその高さ位置の変更が比較的容易である。
【実施例２】
【００２８】
ここで、本発明に係るダブルデッキエレベータの点検装置の第２の実施例を図に基づき説明する。
【００２９】
第２の実施例では、図７及び図８に示すように、第１のダブルデッキエレベータＡと第２のダブルデッキエレベータＢが併設されており、これらのダブルデッキエレベータＡ、Ｂは、図示しない上かご及び下かごをそれぞれ有し、昇降路１Ａ、１Ｂ内を昇降するかご枠２Ａ、２Ｂと、上かご及び下かごを駆動するかご位置調整駆動装置１１Ａ、１１Ｂと、昇降路１Ａ、１Ｂにそれぞれ対となって立設され、かご枠２Ａ、２Ｂを案内するガイドレール１６Ａ、１６Ｂとを備えている。
【００３０】
そして、第２の実施例の点検装置２５は、第１のダブルデッキエレベータＡ用の点検装置２５Ａと、第２のダブルデッキエレベータＢ用の点検装置２５Ｂとを備えている。
【００３１】
点検装置２５Ａは、図８に示すように、ガイドレール１６Ａの所定の高さ位置に固定される梁部材２５Ａａと、この梁部材２５Ａａに支持され、かご枠２Ａの上梁と対向可能となる足場板２５Ａｂと、この足場板２５Ａｂに設けられる手摺り部材２５Ａｃと、不使用時には、折り畳まれてかご枠２Ａと干渉しない位置に収納され、点検時には、引き出されて上梁との間に架け渡される可動式の渡り板２５Ａｄとを備えている。また、この点検装置２５Ａにあっては、隣接する第２のダブルデッキエレベータＢの昇降路側に、梁部材２５Ａａ及び足場板２５Ａｂが位置する。さらに、梁部材２５Ａａは、レールクリップ２５Ａｆを介してガイドレール１６Ａの所定の高さ位置に固定されている。なお、図７には、点検装置２５Ａは、便宜上、図７には記載されていない。
【００３２】
点検装置２５Ｂは、図７及び図８に示すように、ガイドレール１６Ｂの所定の高さ位置に固定される梁部材２５Ｂａと、この梁部材２５Ｂａに支持され、かご枠２Ｂの上梁と対向可能となる足場板２５Ｂｂと、この足場板２５Ｂｂに設けられる手摺り部材２５Ｂｃと、不使用時には、折り畳まれてかご枠２Ｂと干渉しない位置に収納され、点検時には、引き出されて上梁との間に架け渡される可動式の渡り板２５Ｂｄとを備えている。また、この点検装置２５Ｂにあっては、隣接する第１のダブルデッキエレベータＡの昇降路側に、梁部材２５Ｂａ及び足場板２５Ｂｂが位置する。さらに、梁部材２５Ｂａは、レールクリップ２５Ｂｆを介してガイドレール１６Ｂの所定の高さ位置に固定されている。
【００３３】
第２の実施例にあっては、かご枠２Ａ、２Ｂに設置されるかご機器を点検する場合、図８に示すように、下方に位置する第１のダブルデッキエレベータＡ用の点検装置２５Ａから、例えば第１のダブルデッキエレベータＡのかご位置調整駆動装置１１Ａの点検を行うと共に、上方に位置し、第２のダブルデッキエレベータＢ用の点検装置２５Ｂから、例えば第２のダブルデッキエレベータＢのかご位置調整駆動装置１１Ｂの点検を行う。
【００３４】
第２の実施例によれば、それぞれの点検装置２５Ａ、２５Ｂにあって、隣接するダブルデッキエレベータの昇降路側に、当該ダブルデッキエレベータ用の梁部材及び足場板を配置することで、点検装置２５Ａ、２５Ｂの設置スペースを確保しつつ、互いの昇降路１Ａ、１Ｂを近接させることが可能となり、省スペースの併設ダブルデッキエレベータとすることができる。
【００３５】
なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。さらに、ある実施例の構成の一部を他の構成に置き換えることが可能である。また、実施例の構成の一部について、他の構成の追加・削除・置き換えをすることが可能である。
【符号の説明】
【００３６】
１、１Ａ、１Ｂ  昇降路
２、２Ａ、２Ｂ  かご枠
２ａ  上梁
３  主索
６  駆動装置
８  制御装置
９  上かご
１０  下かご
１１、１１Ａ、１１Ｂ  かご位置調整駆動装置
１５、２５Ａ、２５Ｂ  点検装置
１５ａ、２５Ａａ、２５Ｂａ  梁部材
１５ｂ、２５Ａｂ、２５Ｂｂ  足場板
１５ｃ、２５Ａｃ、２５Ｂｃ  手摺り部材
１５ｄ、２５Ａｄ、２５Ｂｄ  渡り板
１５ｅ  手摺り部材
１５ｆ、２５Ａｆ、２５ｂｆ  レールクリップ
１５ｇ  支柱
１５ｈ  梁
１６Ａ、１６Ｂ  ガイドレール
Ａ  第１のダブルデッキエレベータ
Ｂ  第２のダブルデッキエレベータ
Ｇ  ガイドレール
【図１】
0005829179.tif 000002
【図２】
0005829179.tif 000003
【図３】
0005829179.tif 000004
【図４】
0005829179.tif 000005
【図５】
0005829179.tif 000006
【図６】
0005829179.tif 000007
【図７】
0005829179.tif 000008
【図８】
0005829179.tif 000009